(57)【要約】【課題】本発明は、極めて商品価値の高い画期的な花粉交配機を提供することを目的とする。【解決手段】花粉１を収納する花粉収納部２と、雌しべに花粉１を接触させる花粉交配部６と、前記花粉収納部２から前記花粉交配部６へ花粉１を搬送する花粉搬送部４とより成る花粉交配機において、前記花粉収納部２と前記花粉搬送部４との連通部１６には花粉１を分散させる花粉分散部１０が設けられ、この花粉分散部１０には、該花粉分散部１０に付着した花粉１を離反させる花粉離反機構１２が設けられたものである。【選択図】　　　　図２
2004135568.tif 000002
【特許請求の範囲】
【請求項１】
花粉を収納する花粉収納部と、雌しべに花粉を接触させる花粉交配部と、前記花粉収納部から前記花粉交配部へ花粉を搬送する花粉搬送部とより成る花粉交配機において、前記花粉収納部と前記花粉搬送部との連通部には花粉を分散させる花粉分散部が設けられ、この花粉分散部には、該花粉分散部に付着した花粉を離反させる花粉離反機構が設けられていることを特徴とする花粉交配機。
【請求項２】
請求項１記載の花粉交配機において、前記花粉分散部は、自転により花粉を送出する送出機構を具備したものであることを特徴とする花粉交配機。
【請求項３】
請求項２記載の花粉交配機において、前記花粉分散部は、自転する螺旋バネ体であり、この螺旋バネ体を回動させることで花粉収納部から花粉搬送部へ花粉を送出するとともに該花粉を分散させるように構成されていることを特徴とする花粉交配機。
【請求項４】
請求項１記載の花粉交配機において、前記花粉分散部の花粉離反機構は、該花粉分散部を振動させる振動機構であることを特徴とする花粉交配機。
【請求項５】
請求項４記載の花粉交配機において、前記花粉離反機構は、螺旋バネ体を伸縮させる伸縮機構を有し、縮んだ状態から復帰する際に振動が生じるように構成されていることを特徴とする花粉交配機。
【請求項６】
花粉を収納する花粉収納部と、雌しべに花粉を接触させる花粉交配部と、前記花粉収納部から前記花粉交配部へ花粉を送風により搬送する花粉搬送部とより成る花粉交配機において、前記花粉搬送部の基部には送風部が設けられ、また花粉搬送部の所定位置において該花粉搬送部と前記花粉収納部とは連通部により連通されており、花粉搬送部の前記連通部との連通位置の上流側には前記花粉収納部と通気連通する送気部が設けられていることを特徴とする花粉交配機。
【請求項７】
請求項６記載の花粉交配機において、前記花粉収納部と前記花粉搬送部との連通部には花粉を分散させる花粉分散部が設けられ、この花粉分散部には、該花粉分散部に付着した花粉を離反させる花粉離反機構が設けられていることを特徴とする花粉交配機。
【請求項８】
花粉を収納する花粉収納部と、雌しべに花粉を接触させる花粉交配部と、前記花粉収納部から前記花粉交配部へ花粉を搬送する花粉搬送部とより成る花粉交配機において、前記花粉収納部として上部開口部を有するケース状の花粉収納部を採用し、この花粉収納部の上部開口部を閉塞する閉塞蓋材に当該花粉収納部に収納された花粉を撹拌する花粉撹拌体を揺動自在に垂設したことを特徴とする花粉交配機。
【請求項９】
花粉を収納する花粉収納部と、雌しべに花粉を接触させる花粉交配部と、前記花粉収納部から前記花粉交配部へ花粉を送風により搬送する花粉搬送部とより成る花粉交配機において、前記花粉収納部と前記花粉搬送部との連通部には花粉を分散させる花粉分散部が設けられ、この花粉分散部には、該花粉分散部に付着した花粉を離反させる花粉離反機構が設けられ、前記花粉搬送部の基部には送風部が設けられ、また花粉搬送部の所定位置において該花粉搬送部と前記花粉収納部とは連通部により連通されており、花粉搬送部の前記連通部との連通位置の上流側には前記花粉収納部と通気連通する送気部が設けられ、前記花粉収納部として上部開口部を有するケース状の花粉収納部を採用し、この花粉収納部の上部開口部を閉塞する閉塞蓋材に当該花粉収納部に収納された花粉を撹拌する花粉撹拌体を揺動自在に垂設したことを特徴とする花粉交配機。
【請求項１０】
請求項１〜９いずれか１項に記載の花粉交配機において、前記花粉収納部に花粉の残量を表示する残量表示手段を設けたことを特徴とする花粉交配機。
【発明の詳細な説明】
【０００１】
【発明の属する技術分野】
本発明は、人工受粉を必要とする果樹類等の花粉交配作業をより能率的に且つ確実に行うことのできる花粉交配機に関するものである。
【０００２】
【従来の技術及び発明が解決しようとする課題】
従来、果樹類の人工受粉は竹棒に羽毛をつけた凡天と呼ばれる羽毛棒を使用し、この羽毛棒の羽毛に花粉を付けて花一つ一つに人が手で羽毛棒を優しく叩くようにして人工受粉を行ってきた。
【０００３】
その成果は確実ではあるけれども非常に手間がかかり能率が悪く、且つ厄介な作業で昨今の農村の労働力事情に鑑み、これを続けることは困難な状態とされている。
【０００４】
そこで、従来から、実開平７−３７号にて花粉交配機が提案されており、この花粉交配機によって人工受粉の作業効率を飛躍的に向上することができることとなった。
【０００５】
本出願人は、この花粉交配機について更なる研究・開発を進め、極めて商品価値の高い画期的な花粉交配機を発明した。
【０００６】
【課題を解決するための手段】
添付図面を参照して本発明の要旨を説明する。
【０００７】
花粉１を収納する花粉収納部２と、雌しべに花粉１を接触させる花粉交配部６と、前記花粉収納部２から前記花粉交配部６へ花粉１を搬送する花粉搬送部４とより成る花粉交配機において、前記花粉収納部２と前記花粉搬送部４との連通部１６には花粉１を分散させる花粉分散部１０が設けられ、この花粉分散部１０には、該花粉分散部１０に付着した花粉１を離反させる花粉離反機構１２が設けられていることを特徴とする花粉交配機に係るものである。
【０００８】
また、請求項１記載の花粉交配機において、前記花粉分散部１０は、自転により花粉１を送出する送出機構を具備したものであることを特徴とする花粉交配機に係るものである。
【０００９】
また、請求項２記載の花粉交配機において、前記花粉分散部１０は、自転する螺旋バネ体１１であり、この螺旋バネ体１１を回動させることで花粉収納部２から花粉搬送部４へ花粉１を送出するとともに該花粉１を分散させるように構成されていることを特徴とする花粉交配機に係るものである。
【００１０】
また、請求項１記載の花粉交配機において、前記花粉分散部１０の花粉離反機構１２は、該花粉分散部１０を振動させる振動機構であることを特徴とする花粉交配機に係るものである。
【００１１】
また、請求項４記載の花粉交配機において、前記花粉離反機構１２は、螺旋バネ体１１を伸縮させる伸縮機構を有し、縮んだ状態から復帰する際に振動が生じるように構成されていることを特徴とする花粉交配機に係るものである。
【００１２】
また、花粉１を収納する花粉収納部２と、雌しべに花粉１を接触させる花粉交配部６と、前記花粉収納部２から前記花粉交配部６へ花粉１を送風により搬送する花粉搬送部４とより成る花粉交配機において、前記花粉搬送部４の基部には送風部３が設けられ、また花粉搬送部４の所定位置Ｐ１において該花粉搬送部４と前記花粉収納部２とは連通部１６により連通されており、花粉搬送部４の前記連通部１６との連通位置Ｐ１の上流側には前記花粉収納部２と通気連通する送気部７が設けられていることを特徴とする花粉交配機に係るものである。
【００１３】
また、請求項６記載の花粉交配機において、前記花粉収納部２と前記花粉搬送部４との連通部１６には花粉１を分散させる花粉分散部１０が設けられ、この花粉分散部１０には、該花粉分散部１０に付着した花粉１を離反させる花粉離反機構１２が設けられていることを特徴とする花粉交配機に係るものである。
【００１４】
また、花粉１を収納する花粉収納部２と、雌しべに花粉１を接触させる花粉交配部６と、前記花粉収納部２から前記花粉交配部６へ花粉１を搬送する花粉搬送部４とより成る花粉交配機において、前記花粉収納部２として上部開口部を有するケース状の花粉収納部２を採用し、この花粉収納部２の上部開口部を閉塞する閉塞蓋材１３に当該花粉収納部２に収納された花粉１を撹拌する花粉撹拌体１４を揺動自在に垂設したことを特徴とする花粉交配機に係るものである。
【００１５】
また、花粉１を収納する花粉収納部２と、雌しべに花粉１を接触させる花粉交配部６と、前記花粉収納部２から前記花粉交配部６へ花粉１を送風により搬送する花粉搬送部４とより成る花粉交配機において、前記花粉収納部２と前記花粉搬送部４との連通部１６には花粉１を分散させる花粉分散部１０が設けられ、この花粉分散部１０には、該花粉分散部１０に付着した花粉１を離反させる花粉離反機構１２が設けられ、前記花粉搬送部４の基部には送風部３が設けられ、また花粉搬送部４の所定位置Ｐ１において該花粉搬送部４と前記花粉収納部２とは連通部１６により連通されており、花粉搬送部４の前記連通部１６との連通位置Ｐ１の上流側には前記花粉収納部２と通気連通する送気部７が設けられ、前記花粉収納部２として上部開口部を有するケース状の花粉収納部２を採用し、この花粉収納部２の上部開口部を閉塞する閉塞蓋材１３に当該花粉収納部２に収納された花粉１を撹拌する花粉撹拌体１４を揺動自在に垂設したことを特徴とする花粉交配機に係るものである。
【００１６】
また、請求項１〜９いずれか１項に記載の花粉交配機において、前記花粉収納部２に花粉１の残量を表示する残量表示手段を設けたことを特徴とする花粉交配機に係るものである。
【００１７】
【発明の作用及び効果】
花粉収納部２に収納された花粉１は、花粉搬送部４により花粉交配部６へ搬送され、この花粉交配部６を雌しべに接触させることで受粉が行われる。
【００１８】
花粉収納部２と花粉搬送部４との連通部１６には花粉１を分散させる花粉分散部１０が設けられ、この花粉分散部１０には、該花粉分散部１０に付着した花粉１を離反させる花粉離反機構１２が設けられている。
【００１９】
従って、花粉収納部２に収納された花粉１は塊のような状態で花粉搬送部４へ導出されず、分散させられて花粉搬送部４へ導出されるから、花粉１は花粉交配部６へ良好に搬送され、しかも、この花粉分散部１０には花粉離反機構１２が設けられている為、該花粉分散部１０に花粉１が付着することは可及的に阻止され、一層花粉交配部６への搬送が良好に行われる。
【００２０】
即ち、天然の花粉１は、その量が希少な上に、粘り気が高いため、人工受粉（花粉交配機）で使用する際には、花粉増量剤を混ぜることで量を増すとともに、粘り気が低くなるように調整されているが、増量剤の希釈倍率は、その花粉の発芽率によって決まり、むやみに増量剤を増すわけにはいかず、粘り気を低くするには限界がある。
【００２１】
そこで、本発明は、花粉分散部１０に花粉離反機構１２を設けることで、粘り気により花粉分散部１０に付着してしまう花粉１を確実に離反させ、花粉搬送部４への花粉１の導出及び花粉交配部６への花粉１の搬送が良好となるようにしている。
【００２２】
以上のように、本発明は、従来にない画期的な作用効果を発揮し、極めて商品価値の高いものになる。
【００２３】
【発明の実施の態様】
図面は本発明の一実施例を図示したものであり、以下に説明する。
【００２４】
本実施例は、花粉１を収納する花粉収納部２と、雌しべに花粉１を接触させる花粉交配部６と、花粉収納部２から花粉交配部６へ花粉１を搬送する花粉搬送部４とより成るものである。
【００２５】
以下、本実施例に係る構成各部について詳細な説明をする。
【００２６】
花粉収納部２は、図１，２に図示したように適宜な合成樹脂製の部材を容器状に形成したものであり、合成樹脂としては半透明の素材のものが採用され、内部に収納される花粉１の上面位置を確認することができる（通常、花粉交配機で使用される花粉１は、交配作業の進行度を識別するため、ピンク色に着色された花粉増量剤を一定量混ぜた、いわゆる受粉剤である。）。
【００２７】
また、花粉収納部２は、その上部開口部２ａに閉塞蓋材１３が着脱自在に設けられている。
【００２８】
この閉塞蓋材１３は、その内面中央位置に花粉撹拌体１４が揺動自在に垂設されており、具体的には、この花粉撹拌体１４は、紐状部材１４ａと環状部材１４ｂとで構成され、搬送時や作業時に揺動することで花粉収納部２内に収納される花粉１を撹拌するように構成されている。従って、花粉収納部２内に収納される花粉１はこの花粉撹拌体１４により適宜撹拌されることで可及的に粉末の状態（塊となっていない状態。花粉１は湿気により塊状となり易い。）が保持されることになる。
【００２９】
また、花粉収納部２には、花粉１の残量を表示する図示省略の残量表示手段が設けられており、前述した花粉収納部２を半透明の素材で形成したことと共に確実に花粉１の補充時期等が確認できる。残量表示手段としては、花粉収納部２の外面に単に目印を付したり、また、適宜なセンサーを花粉収納部２内に内装したりするなど、どのような手段を採用しても良い。
【００３０】
また、花粉収納部２は、樹脂製の収納ボックス５の上部に配設され、更に、その下部に形成された下部開口部２ｂを収納ボックス５内に収納される基体１５の上部に連結している。
【００３１】
この基体１５は、適宜な合成樹脂製の半割り部材１５ａ，１５ｂを連結して構成されており、この基体１５には後述するスクリューコンベア式の花粉分散部１０（螺旋バネ体１１）が設けられている。
【００３２】
この花粉分散部１０は、基体１５内の上部に設けられており、花粉収納部２の下部開口部２ｂと連通状態となる筒孔状の連通部１６に螺旋バネ体１１を回動自在に設けたものであり、この螺旋バネ体１１の基端部は、適宜な駆動モーター１７の作動により回動する回動体２０に連結（被嵌連結）されている。
【００３３】
また、連通部１６の上流側（基端側）において、花粉収納部２の下部開口部２ｂと連通せしめられており、また、連通部１６の下流側位置には花粉１を搬送する花粉搬送路８に連通する花粉落下部１６ａが設けられている。
【００３４】
従って、この螺旋バネ体１１が回動すると、該螺旋バネ体１１が螺旋構造の為、該花粉１は順次所定量先端側へ送出され、花粉落下部１６ａから花粉搬送路８に花粉１は分散させながら導出される。
【００３５】
また、この螺旋バネ体１１には、該螺旋バネ体１１に付着した花粉１を離反させる為の花粉離反機構１２が設けられている。
【００３６】
以下にこの花粉離反機構１２について説明する。
【００３７】
螺旋バネ体１１の先端部は、基体１５に設けられた軸体１８に連結（被嵌連結）されており、また、この軸体１８の先端側には該螺旋バネ体１１の先端を支持するテーパー支持面１８ａが設けられ、このテーパー支持面１８ａには該軸体１８の軸方向と直交する方向に突体１９ａが設けられている。
【００３８】
従って、螺旋バネ体１１が図４中矢印ａ方向に回動すると、該螺旋バネ体１１の端部１１ａは突体１９ａの側面に当接しながら回動し、この際、螺旋バネ体１１は図４中矢印ｂ方向に縮められ、この突体１９ａの側面を通過した際、該螺旋バネ体１１は図５中ｃ方向に復帰し、その螺旋バネ体１１の端部１１ａが突体１９ａを通過した際に蓄積された戻り付勢力により螺旋バネ体１１に振動が生じるものであり、この螺旋バネ体１１の端部１１ａが突体１９ａを通過する作動が１８０°毎に繰り返される為、この１８０°毎に生じる振動により該螺旋バネ体１１に付着している花粉１を離反させることになる。
【００３９】
よって、螺旋バネ体１１が振動した際、螺旋バネ体１１に付着した花粉１は離反され、それだけ良好に花粉１は花粉搬送部４へ導出されることになる。しかも、その振動は螺旋バネ体１１の周囲（特に花粉収納部２の下部開口部２ｂ）に、仮に花粉１が壁状に固まっても、該固まった花粉１を崩す作用も発揮する。尚、螺旋バネ体１１の表面に適宜なコーティングを施すことで、該螺旋バネ体１１への花粉１の付着をそれだけ抑制し得ることになる。
【００４０】
また、図１，２に図示したように連通部１６の花粉落下部１６ａには筒孔状の花粉搬送路８が設けられ、この花粉搬送路８の上流側位置には送風部３が設けられており、花粉収納部２から花粉分散部１０を介して導出される花粉１は送風部３からの送風により花粉搬送路８内で搬送される。
【００４１】
また、花粉搬送路８の下流側位置には管部材２４が連設され、この管部材２４は、柔軟ホース部２４ａと金属パイプ部２４ｂとから成り、金属パイプ部２４ｂには搬送される花粉１を視認し得る花粉視認部９が設けられている。
【００４２】
送風部３は、図２，６に図示したように花粉搬送路８の上流側位置に形成される空間部８ａに回転羽根２１を配設し、この回転羽根２１を駆動モーター２２により回転させる構成である。
【００４３】
また、本実施例では、送風部３からの送風を花粉収納部２内に取り込むための送気部７を設けている。
【００４４】
具体的には、花粉搬送路８の所定部位にして連通部１６との連通位置Ｐ１（花粉落下部１６ａとの連通位置）よりも上流側の位置Ｐ２には送気部７が設けられ、この送気部７と花粉収納部２とは連通せしめられている。具体的には、位置Ｐ２に設けた孔３０には管状部材２３が連結され、該管状部材２３は花粉収納部２内に導入され、この管状部材２３の端部開口部２３ａは花粉収納部２の内部にして上方位置（閉塞部材１３の近傍位置）において開口するように構成されている。
【００４５】
これは、花粉収納部２から花粉搬送部４への花粉１の導出が良好に行われることに貢献する。
【００４６】
即ち、花粉搬送部４における花粉１の搬送は送風部３からの送風により行われるが、その構造上、仮にこの送気部７が無い場合、この送風部３からの送風が花粉収納部２内へ逆流してしまうが、この点、本実施例は、花粉収納部２に送風を取り込むための送気部７を設け、しかも、この送気部７が花粉搬送路８の所定部位にして花粉収納部２から花粉１が導出される位置Ｐ１よりも上流側の位置Ｐ２と花粉収納部２とを連通することにより、花粉収納部２内にも送風圧が加わり、よって、花粉収納部２内に花粉１が逆流することなく良好な導出が行われることになる。しかも、管状部材２３の端部開口部２３ａを花粉収納部２の上方で開口させることで、花粉収納部２内が良好な加圧状態となり、この点においても良好な花粉１の導出が行われることになる。
【００４７】
また、花粉搬送部４に係る管部材２４の先端部には花粉交配部６が設けられている。
【００４８】
この花粉交配部６は、管部材２４の先端部に設けられた花粉送出部２５に毛ばたき状の花粉交配具２６を付設したものであり、花粉送出部２５は適宜な駆動源により回動する回動部２７に連結されて、この回動部２７の回動により花粉交配具２６は回動自在に設けられている。
【００４９】
符号２８は花粉分散部１０に係る螺旋バネ体１１の回動速度を調整し得る回動速度制御部、２９は花粉分散部１０の駆動モーター１７、花粉搬送部４の駆動モーター２２及び花粉交配具２６を回動させる回動部２７などの本装置全ての機構を作動・停止させるスイッチである。
【００５０】
本実施例は上述のように構成したから、送風部３を作動させて花粉搬送部４で搬送された花粉１が花粉交配部６に付着し、この花粉交配部６を雌しべに接触させることで受粉が行われる。この際、花粉収納部２に収納された花粉１を一度に多量に花粉搬送部４へ導出するのではなく、スクリュー式の送出機構とすることで任意の量の花粉１を花粉搬送部４へ導出して該花粉搬送部４により花粉交配部６まで確実に搬送させることができ、しかも、この螺旋バネ体１１には花粉離反機構１２が設けられている為、より一層花粉搬送部４への導出が良好に行われる。
【００５１】
また、本実施例は、送風部３からの送風を花粉収納部２内に取り込むための送気部７を設けたから、花粉収納部２内に花粉１が逆流することなく良好な花粉搬送部４への導出が行われることになり、しかも、送気部７を花粉収納部２の上方で開口させることで、花粉収納部２内が良好な加圧状態となり、この点においても良好な花粉１の導出が行われることになる。
【００５２】
尚、本発明は、本実施例に限られるものではなく、各構成要件の具体的構成は適宜設計し得るものである。
【図面の簡単な説明】
【図１】本実施例を示す斜視図である。
【図２】本実施例に係る要部を説明する側断面図である。
【図３】本実施例に係る要部を説明する正面図である。
【図４】本実施例に係る要部の概略動作説明図である。
【図５】本実施例に係る要部の概略動作説明図である。
【図６】本実施例に係る要部を説明する平断面図である。
【符号の説明】
Ｐ１　位置
１　花粉
２　花粉収納部
３　送風部
４　花粉搬送部
６　花粉交配部
７　送気部
１０　花粉分散部
１１　螺旋バネ体
１２　花粉離反機構
１３　閉塞部材
１４　花粉撹拌体
１６　連通部
【図１】
2004135568.tif 000003
【図２】
2004135568.tif 000004
【図３】
2004135568.tif 000005
【図４】
2004135568.tif 000006
【図５】
2004135568.tif 000007
【図６】
2004135568.tif 000008
【手続補正書】
【提出日】平成14年10月17日(2002.10.17)
【手続補正１】
【補正対象書類名】図面
【補正対象項目名】図６
【補正方法】変更
【補正の内容】
【図６】
2004135568.tif 000009